(57)【要約】【課題】移動体通信網から携帯端末への緊急災害情報の報知における受信成功率を向上させる技術を提供する。【解決手段】無線通信システムは基地局および携帯端末を有している。基地局は、携帯端末に配信すべき緊急災害メッセージのデータを複数に分割し、分割されたデータに対するパリティを算出し、データとパリティを携帯端末に配信する。携帯端末は、データとパリティを基地局から受信し、データとパリティから緊急災害メッセージを復元してユーザに提示する。【選択図】図１
2012060377.tif 000002
【特許請求の範囲】
【請求項１】
携帯端末に配信すべき緊急災害メッセージのデータを複数に分割する分割部と、
前記緊急災害メッセージのデータに対するパリティを算出するパリティ算出部と、
複数に分割された前記データと前記パリティを前記携帯端末に配信する送出部と、を有する基地局。
【請求項２】
前記分割部は、前記緊急災害メッセージのデータを３つのブロックに分割し、
前記パリティ算出部は前記３つのブロックを並列に配置したデータに対するパリティを算出し、
前記送出部は、前記３つのブロックと前記パリティをそれぞれブロックとして配信する、請求項１に記載の基地局。
【請求項３】
前記緊急災害メッセージは３ＧＰＰ規定のＥＴＷＳプライマリ・メッセージであり、
前記分割部は、前記ＥＴＷＳメッセージを第１から第３のＣＢＳ  ＳＤＵメッセージに分割し、前記第３のＣＢＳ  ＳＤＵメッセージに最後のブロックであることを表示し、
前記送出部は、前記パリティ算出部が算出したパリティのブロックを第４のＣＢＳ  ＳＤＵメッセージとして、前記第１から第４のＣＢＳ  ＳＤＵメッセージを配信する、請求項１または２に記載の基地局。
【請求項４】
前記送出部は、前記第１から第４のＣＢＳ  ＳＤＵメッセージを、複数の周期にまたがって所定時間だけ継続して報知する、請求項３に記載の基地局。
【請求項５】
緊急災害メッセージが分割された複数のデータと、該データに対するパリティを基地局から受信する受信部と、
前記複数のデータと前記パリティから前記緊急災害メッセージを復元する復元部と、
前記復元部で復元された前記緊急災害メッセージをユーザに提示する提示部と、を有する携帯端末。
【請求項６】
前記緊急災害メッセージは３ＧＰＰ規定のＥＴＷＳプライマリ・メッセージであり、前記基地局では、前記ＥＴＷＳメッセージが第１〜第３のＣＢＳ  ＳＤＵメッセージに分割され、前記第３のＣＢＳ  ＳＤＵメッセージに最後のブロックであることが表示され、前記パリティのブロックが第４のＣＢＳ  ＳＤＵメッセージとして、前記第１から第４のブロックが配信され、
前記受信部は、前記第３のＣＢＳ  ＳＤＵメッセージに最後のブロックであることが表示されていても前記第４のＣＢＳ  ＳＤＵメッセージを受信する、
請求項５に記載の携帯端末。
【請求項７】
前記復元部は、前記受信部にて複数の周期にまたがって受信された前記第１から第４のＣＢＳ  ＳＤＵメッセージからも前記緊急災害メッセージを復元する、請求項６に記載の携帯端末。
【請求項８】
前記復元部は、前記第４のＣＢＳ  ＳＤＵメッセージにパリティが搭載されていなければ該第４のＣＢＳ  ＳＤＵメッセージを破棄する、請求項６または７に記載の携帯端末。
【請求項９】
携帯端末に配信すべき緊急災害メッセージのデータを複数に分割し、分割された前記データに対するパリティを算出し、前記データと前記パリティを前記携帯端末に配信する基地局と、
前記データと前記パリティを基地局から受信し、前記データと前記パリティから前記緊急災害メッセージを復元してユーザに提示する携帯端末と、を有する無線通信システム。
【発明の詳細な説明】
【技術分野】
【０００１】
本発明は、緊急災害の情報を移動体通信網から携帯端末に報知する技術に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、地震津波警報を移動体通信網から携帯端末に配信する方式が規定されている。そして、それを実現する様々な技術が提案されている（特許文献１参照）。
【０００３】
３ＧＰＰ規定では、地震津波警報サービスの情報発信者が地震津波警報の第１報（ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）プライマリ・メッセージ）を発信してから報知期間の４秒以内に携帯端末に表示することが要求される。また、携帯端末は、ＥＴＷＳプライマリ・メッセージを受信した後、即時に、それを表示することが要求される。
【０００４】
ＥＴＷＳプライマリ・メッセージの報知について説明する。
【０００５】
図１０は、ＥＴＷＳプライマリ・メッセージの報知の様子を示す図である。
【０００６】
図１０では、小さな黒丸の下に破線が延びている記号はスケジュールメッセージを示す。また、小さな黒丸の下に実線が延びている記号はＣＢＳ  ＰＤＵメッセージを示す。その横に記載されている数字はＣＢＳメッセージ番号を示す。小さい白丸の下に実線が延びている記号はＥＴＷＳメッセージを構成するＣＢＳ  ＳＤＵメッセージを示す。
【０００７】
また、図１０では、大きな白丸はメッセージが受信予定であることを示す。また、大きな黒丸はメッセージが受信済みであることを示す。大きな破線の円はメッセージの受信に失敗したことを示す。
【０００８】
図１０では、タイミングＴ２−１に、基地局から携帯端末にＥＴＷＳプライマリ・メッセージを報知する契機として、ＥＴＷＳプライマリ・メッセージ通知のページングが送信されている。なお、ここでは、基地局はＢＴＳ（Ｂａｓｅ  Ｔｒａｎｓｃｅｉｖｅｒ  Ｓｔａｔｉｏｎ）あるいはＢＳＣ（Ｂａｓｅ  Ｓｔａｔｉｏｎ  Ｃｏｎｔｒｏｌｌｅｒ）を指すものとする。それに続いて、ＥＴＷＳプライマリ・メッセージを搭載したＣＢＳ  ＰＤＵメッセージが１．８８３秒に一度の周期で送信される。ＣＢＳ  ＰＤＵメッセージは、４つのＣＢＳ  ＳＤＵメッセージからなる。ＣＢＳ  ＳＤＵメッセージは、２３５．３８ミリ秒に一度の周期で送信される。基地局は、ページングから報知期間の４秒の間にＥＴＷＳプライマリ・メッセージを報知する。
【０００９】
３ＧＰＰ  ＧＥＲＡＮ（ＧＳＭ  ＥＤＧＥ  Ｒａｄｉｏ  Ａｃｃｅｓｓ  Ｎｅｔｗｏｒｋ）では、ＥＴＷＳプライマリ・メッセージは５６オクテットの固定長と規定されている。この５６オクテットのＥＴＷＳプライマリ・メッセージが、３つの２２オクテットのＣＢＳ  ＳＤＵメッセージに分割される。３つのＣＢＳ  ＳＤＵメッセージは、それぞれの情報がファーストブロック（Ｓ１）、セカンドブロック（Ｓ２）、サードブロック（Ｓ３）に載せて搬送される。
【００１０】
このときサードブロック（Ｓ３）は、ＥＴＷＳプライマリ・メッセージの最後のブロックであることを示すＬＡＳＴ  ＢＬＯＣＫ（ＬＢ）ビットをセットした状態で送信される。そして、フォースブロック（Ｓ４）はＮＵＬＬブロックとして送信される。ＮＵＬＬブロックのデータ部は同じ２桁の１６進数でパディングされる。
【００１１】
また特に、ＧＥＲＡＮでは、ＥＴＷＳプライマリ・メッセージを先頭のＣＢＳ  ＳＤＵメッセージから受信できなかった場合、必ず２３５．３８ミリ秒から約２秒間だけ待機し、次のファーストブロックから受信を開始しなければならないという制約がある。
【００１２】
携帯端末は、ファーストブロック（Ｓ１）、セカンドブロック（Ｓ２）、およびサードブロック（Ｓ３）を受信する。携帯端末は、サードブロックのヘッダから最後のブロックであることを示すＬＡＳＴ  ＢＬＯＣＫ（ＬＢ）ビットがセットされていることを検出したら、それ以降は次の周期のＣＢＣＨまでブロックの受信を行わない。
【００１３】
そして、携帯端末は、ファーストブロック（Ｓ１）、セカンドブロック（Ｓ２）、およびサードブロック（Ｓ３）からＥＴＷＳプライマリ・メッセージを復元して表示する。
【先行技術文献】
【特許文献】
【００１４】
【特許文献１】特開２００９−２７８５０９号公報
【発明の概要】
【発明が解決しようとする課題】
【００１５】
上述したように、ＥＴＷＳプライマリ・メッセージが発信されてから４秒以内に携帯端末に受信され、その内容が表示されることが推奨されている。しかしながら、ＧＥＲＡＮなどの移動体通信網では携帯端末がＥＴＷＳプライマリ・メッセージの受信に失敗する場合がある。
【００１６】
上述したＥＴＷＳプライマリ・メッセージの報知方法では、あるタイミングで携帯端末にてＣＢＳ  ＳＤＵメッセージがＳ１から連続して３つ受信されることが必須である。携帯端末が１つでもＣＢＳ  ＳＤＵメッセージの受信に失敗すれば、ＥＴＷＳプライマリ・メッセージの受信が失敗となる。
【００１７】
また、３ＧＰＰ規定では、携帯端末において、ＣＢＳ受信処理の優先度は他の待受処理の優先度より低い。そのため、ＣＢＳ受信処理と他の待受処理との競合が発生すれば、携帯端末はＣＢＳ  ＳＤＵメッセージの受信に失敗することになる。
【００１８】
本発明の目的は、移動体通信網から携帯端末への緊急災害情報の報知における受信成功率を向上させる技術を提供することである。
【課題を解決するための手段】
【００１９】
上記目的を達成するために、本発明の基地局は、
携帯端末に配信すべき緊急災害メッセージのデータを複数に分割する分割部と、
前記緊急災害メッセージのデータに対するパリティを算出するパリティ算出部と、
複数に分割された前記データと前記パリティを前記携帯端末に配信する送出部と、を有している。
【００２０】
本発明の携帯端末は、
緊急災害メッセージが分割された複数のデータと、該データに対するパリティを基地局から受信する受信部と、
前記複数のデータと前記パリティから前記緊急災害メッセージを復元する復元部と、
前記復元部で復元された前記緊急災害メッセージをユーザに提示する提示部と、を有している。
【００２１】
本発明の無線通信システムは、
携帯端末に配信すべき緊急災害メッセージのデータを複数に分割し、分割された前記データに対するパリティを算出し、前記データと前記パリティを前記携帯端末に配信する基地局と、
前記データと前記パリティを基地局から受信し、前記データと前記パリティから前記緊急災害メッセージを復元してユーザに提示する携帯端末と、を有している。
【発明の効果】
【００２２】
本発明によれば、基地局から携帯端末への緊急災害情報の報知における受信成功率を向上させることができる。
【図面の簡単な説明】
【００２３】
【図１】本実施形態による移動体通信システムの構成を示すブロック図である。
【図２】本実施形態による基地局の構成を示すブロック図である。
【図３】本実施形態による携帯端末の構成を示すブロック図である。
【図４】他の実施形態による移動体通信システムにおける緊急災害メッセージの報知の様子を示すシーケンス図である。
【図５Ａ】携帯端末１２の緊急災害メッセージ（ＥＴＷＳ）受信時の動作を示すフローチャートである。
【図５Ｂ】携帯端末１２の緊急災害メッセージ（ＥＴＷＳ）受信時の動作を示すフローチャートである。
【図６】携帯端末１２の状態遷移図である。
【図７】基地局１１の緊急災害メッセージ送信時の動作を示すフローチャートである。
【図８】基地局１１の状態遷移図である。
【図９】本発明の実施形態と既存方式の比較結果を説明するための図である。
【図１０】ＥＴＷＳプライマリ・メッセージの報知の様子を示す図である。
【発明を実施するための形態】
【００２４】
本発明を実施するための形態について図面を参照して詳細に説明する。
【００２５】
まず本発明の概略的な実施形態について説明する。
【００２６】
図１は、本実施形態による移動体通信システムの構成を示すブロック図である。図１を参照すると、本実施形態の移動体通信システムは基地局１１と携帯端末１２を有している。図１には、基地局１１と携帯端末１２がそれぞれ１つずつ描かれているが、実際のシステムでは複数の基地局１１と複数の携帯端末１２が存在する。
【００２７】
携帯端末１２は、ユーザが音声通話やデータ通信に利用する携帯型の通信端末であり、緊急時に発せられる災害メッセージを基地局１１から受信して表示する機能を備えている。
【００２８】
基地局１１は無線回線で携帯端末１２と接続し、携帯端末１２が送受信するデータを中継する無線通信装置であり、緊急時に発せられる災害メッセージを携帯端末１２に報知する機能を備えている。
【００２９】
図２は、本実施形態による基地局の構成を示すブロック図である。図２を参照すると、基地局１１は、分割部２１、パリティ算出部２２、および送出部２３を有している。
【００３０】
分割部２１は、携帯端末１２に配信すべき緊急災害メッセージのデータを複数（例えば３つ）に分割する。
【００３１】
パリティ算出部２２は、緊急災害メッセージのデータに対するパリティを算出する。例えば、パリティ算出部２２は、３つのブロックを並列に配置したデータに対するパリティを算出する。
【００３２】
送出部２３は、複数（例えば３つ）に分割されたデータと、それに対するパリティとを、それぞれブロックとして携帯端末１２に配信する。
【００３３】
緊急災害メッセージは、典型的には、３ＧＰＰ規定のＥＴＷＳプライマリ・メッセージである。その場合、分割部２１は、ＥＴＷＳメッセージを第１から第３のＣＢＳ  ＳＤＵメッセージに分割し、第３のＣＢＳ  ＳＤＵメッセージに最後のブロックであることを表示する。送出部２３は、パリティ算出部２２が算出したパリティのブロックを第４のＣＢＳ  ＳＤＵメッセージとして、第１から第４のＣＢＳ  ＳＤＵメッセージを携帯端末１２に配信する。
【００３４】
図３は、本実施形態による携帯端末の構成を示すブロック図である。図３を参照すると、携帯端末１２は、受信部、復元部、および提示部を有している。
【００３５】
受信部３１は、緊急災害メッセージが分割された複数のデータと、そのデータに対するパリティを基地局１１から受信する。
【００３６】
復元部３２は、受信部３１が受信した複数のデータとパリティから緊急災害メッセージを復元する。
【００３７】
提示部３３は、復元部３２で復元された緊急災害メッセージをユーザに提示する。例えば、提示部３３は緊急災害メッセージをディスプレイに表示する。
【００３８】
緊急災害メッセージが３ＧＰＰ規定のＥＴＷＳプライマリ・メッセージであるような典型的な場合には、上述したように、基地局１１では、ＥＴＷＳメッセージが第１〜第３のＣＢＳ  ＳＤＵメッセージに分割され、第３のＣＢＳ  ＳＤＵメッセージに最後のブロックであることが表示され、パリティのブロックが第４のＣＢＳ  ＳＤＵメッセージとして、第１から第４のブロックが配信される。
【００３９】
受信部３１は、第３のＣＢＳ  ＳＤＵメッセージに最後のブロックであることが表示されていても、それに続く第４のＣＢＳ  ＳＤＵメッセージを受信する。
【００４０】
また、復元部３２は、第４のＣＢＳ  ＳＤＵメッセージにパリティが搭載されていなければ、その第４のＣＢＳ  ＳＤＵメッセージを破棄し、第１から第３のＣＢＳ  ＳＤＵメッセージから緊急災害メッセージを復元する。
【００４１】
本実施形態における復元部３２が、第１〜第４のＣＢＳ  ＳＤＵメッセージから緊急災害メッセージを復元する方法はＲＡＩＤ技術と同様の方法である。
【００４２】
ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）は、複数台のハードディスク（ＨＤＤ）を仮想的に１台のハードディスクとして運用する技術であり、信頼性向上などの目的で利用される技術である。ＲＡＩＤには複数のレベルが規定されている。
【００４３】
ここでは本実施形態に適用可能な例としてＲＡＩＤレベル４について説明する。
【００４４】
ＲＡＩＤレベル４は、ＨＤＤが４台の構成の場合、ディスクＡ、ディスクＢ、ディスクＣ、およびパリティ・ディスクから構成される。
【００４５】
ここで、パリティ・ディスクに格納されるビットは、ビット単位で（ディスクＡのビット）ＸＯＲ（ディスクＢのビット）ＸＯＲ（ディスクＣのビット）という式で示される。以下に例を挙げる。
【００４６】
ディスクＡ〜Ｃに以下のようなデータが格納されるものとする。
ディスクＡ＝｛１，１，１，１，０，０，０，０｝
ディスクＢ＝｛１，１，０，０，１，１，０，０｝
ディスクＣ＝｛１，０，１，０，１，０，１，０｝
その場合、パリティ・ディスクに格納されるデータは上記の式により算出される。
パリティ・ディスク＝｛１，０，０，１，０，１，１，０｝というデータとなる。
【００４７】
３つのディスク（ディスクＡ〜Ｃ）中で任意の１つのディスクが破損したとき、生存しているディスクおよびパリティ・ディスクのデータから破損したディスクのデータを復元することができる。以下に、ディスクＣが破損した場合の例を挙げる。
【００４８】
ディスクＡ、Ｂには以下のようなデータが格納されるものとする。
ディスクＡ＝｛１，１，１，１，０，０，０，０｝
ディスクＢ＝｛１，１，０，０，１，１，０，０｝
また、パリティ・ディスクには、以下のようなデータが格納されているものとする。
パリティ・ディスク＝｛１，０，０，１，０，１，１，０｝
ディスクＣのビットは以下の式で算出することができる。
ディスクＣのビット＝（ディスクＡのビット）ＸＯＲ（ディスクＢのビット）ＸＯＲ（パリティ・ディスクのビット）
よって、ディスクＣ＝｛１，０，１，０，１，０，１，０｝というデータが復元できる。
【００４９】
本実施形態の復元部３２は、第１〜第３のＣＢＳ  ＳＤＵメッセージのデータを上記ディスクＡ〜Ｃに格納されるデータに対応させ、第４のＣＢＳ  ＳＤＵメッセージのパリティをパリティ・ディスクに格納されるパリティに対応させて、上述と同様の処理を行うことで、緊急災害メッセージを復元する。
【００５０】
以上、説明したように、本実施形態によれば、基地局１１が緊急災害メッセージを複数に分割したデータについてパリティを算出し、データと共にパリティを携帯端末１２に配信し、携帯端末１２が複数のデータとパリティから緊急災害メッセージを復元してユーザに提示する。そのため、パリティによってデータの正しく復元できる場合が増え、緊急災害メッセージの受信失敗率が低減される。
【００５１】
また、緊急災害メッセージが分割された３つのブロックを並列に配置したデータに対してパリティを算出するので、３つのブロックのうちどれか１つがエラーとなっても緊急災害メッセージを復元することができる。
【００５２】
また、基地局１１が、緊急災害メッセージの第一報であるＥＴＷＳプライマリ・メッセージを、３つのＣＢＳ  ＳＤＵメッセージに分割し、第３のＣＢＳ  ＳＤＵメッセージの最後のブロックであることを表示する。そのため、本実施形態によってパリティが付与された緊急災害メッセージに対応していない既存の携帯端末であっても、３つのＣＢＳ  ＳＤＵメッセージを正常に受信できれば、緊急災害メッセージを正しく復元することができ、携帯端末の下位互換性が保たれる。
【００５３】
続いて、より具体的な実施形態を本発明の他の実施形態として説明する。ただし、本実施形態による移動体通信システム、基地局１１、および携帯端末１２の基本的な構成および動作は図１〜３に示したものと同様である。
【００５４】
図４は、他の実施形態による移動体通信システムにおける緊急災害メッセージの報知の様子を示すシーケンス図である。図４における、基地局１１はＧＥＲＡＮの基地局であり、ＣＢＳ  ＰＤＵメッセージあるいはそれを構成するＣＢＳ  ＳＤＵメッセ−ジを送信するコンポーネントである。また、携帯端末１２は、ＧＥＲＡＮに対応した携帯端末であり、ＣＢＳ  ＰＤＵメッセージあるいはそれを構成するＣＢＳ  ＳＤＵメッセ−ジを受信するコンポーネントである。
【００５５】
本実施形態の説明では、主に基地局１１および携帯端末１２の第２層（データリンク層）について説明する。
【００５６】
３ＧＰＰの勧告上では、携帯端末１２の第２層ＣＢＳモジュールの機能の１つとして、データリンク層において単数または複数のＣＢＳ  ＳＤＵメッセージを１つのＣＢＳ  ＰＤＵメッセージにマッピングする機能がある。
【００５７】
同様に、基地局１１の第２層ＣＢＳモジュールの機能の１つとして、１つのＣＢＳ  ＰＤＵメッセージを最大４つまでのＣＢＳ  ＳＤＵメッセージに分割して報知する機能がある。
【００５８】
本実施形態では、１番目のＣＢＳ  ＳＤＵメッセージ、２番目のＣＢＳ  ＳＤＵメッセージ、および３番目のＣＢＳ  ＳＤＵメッセージを、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）レベル４の１．１〜１．３データとして扱う。また、４番目のＣＢＳ  ＳＤＵメッセージを１．４パリティとして扱う。
【００５９】
これにより、本実施形態の緊急災害メッセージのデータは、ＲＡＩＤレベル４のＸＯＲを算出する方式で１．４パリティが算出され、そのパリティの情報が４番目のＣＢＳ  ＳＤＵメッセージに含めてＣＢＳ上で報知される。
【００６０】
本実施形態の詳細な動作について説明する。
【００６１】
まず、携帯端末１２の動作について説明する。図５Ａ〜Ｂは携帯端末１２の緊急災害メッセージ（ＥＴＷＳ）受信時の動作を示すフローチャートである。図６は携帯端末１２の状態遷移図である。
【００６２】
図６で示されるように、携帯端末１２のとる状態は、ＣＢＳ状態（Ｘ１．０）とＥＴＷＳ状態（Ｘ２．０）の２つのステートに大別される。ＣＢＳ状態（Ｘ１．０）は３ＧＰＰの状態に準拠している。ＣＢＳ状態（Ｘ１．０）には、ＣＢＳ停止中（Ｘ１．１）とＣＢＳ受信中（Ｘ１．２）がある。ＣＢＳ停止中（Ｘ１．１）からＣＢＳの起動によってＣＢＳ受信中（Ｘ１．２）に遷移する。また、ＣＢＳ受信中（Ｘ１．２）からＣＢＳの終了によってＣＢＳ停止中（Ｘ１．１）に遷移する。
【００６３】
ＥＴＷＳ状態（Ｘ２．０）にはＥＴＷＳ受信開始待ち（Ｘ２．１）とＥＴＷＳ受信中（Ｘ２．２）がある。ＥＴＷＳ受信開始待ち（Ｘ２．１）とＥＴＷＳ受信中（Ｘ２．２）における状態遷移は後述する。
【００６４】
図５Ａを参照すると、携帯端末１２は最初にＣＢＳ状態（Ｘ１．０）へ遷移する。
【００６５】
携帯端末１２は、基地局１１からのＥＴＷＳプライマリ・メッセージ通知のページングを受信する処理を実行したか否かを確認する（ステップＶ１．１）。ＥＴＷＳプライマリ・メッセージの受信開始の契機になるＥＴＷＳプライマリ・メッセージ通知のページングを受信するまで、携帯端末１２はＣＢＳ状態（Ｘ１．０）に留まり、Ｖ１．１の確認をランダムであるいは定期的に繰り返す。
【００６６】
携帯端末１２が基地局１１からＥＴＷＳプライマリ・メッセージ通知のページングを受信したら、ＣＢＳ受信中（Ｘ１．２）またはＣＢＳ停止中（Ｘ１．１）から、ＥＴＷＳ受信開始待ち（Ｘ２．１）へ遷移し、更に以下の処理を実行する（ステップＶ１．２）。
−  ＥＴＷＳ用の設定とバッファメモリを準備する。ＣＢＳ機能を停止した後、ＥＴＷＳプライマリ・メッセージの受信開始が可能になったら、ＥＴＷＳ受信開始待ち（Ｘ２．１）からＥＴＷＳ受信中（Ｘ２．２）へ遷移する。
−  携帯端末１２のＣＢＳモジュールは、（もし必要ならば）ＥＴＷＳプライマリ・メッセージの受信予約を行うために、対応するＣＢＣＨ上で管理されているＣＢＳメッセージ用の既存の予約情報を直ちに破棄する。
−  携帯端末１２のＣＢＳモジュールは、ＥＴＷＳプライマリ・メッセージ用のＣＢＳ内部タイマを４秒にセットして稼動する。
【００６７】
以上の処理を行ったら、ＥＴＷＳ受信中（Ｘ２．２）の携帯端末１２は、ＣＢＣＨ上でＥＴＷＳプライマリ・メッセージの受信を試みる。もし、ＣＢＳ  ＳＤＵメッセージの受信が確認され、その受信に成功すれば、次のステップへ移行する（ステップＶ２．１）。
【００６８】
なお、携帯端末１２は同じ周期のＣＢＣＨからＳ１とＳ２とＳ３を連続して受信できなければＳ４による受信を試みる。そのため、携帯端末１２は、Ｓ３のブロックヘッダにＬＢがセットされていることを検出しても、これを無視し、Ｓ４を受信する。
【００６９】
更に、携帯端末１２は、受信したブロックがＥＴＷＳプライマリ・メッセージのＣＢＣＨ上のＣＢＳ  ＳＤＵメッセージ（Ｓ１〜Ｓ４）か否かを確認し、ＥＴＷＳプライマリ・メッセージのＣＢＣＨ上のＣＢＳ  ＳＤＵメッセージであれば次のステップへ移行する（ステップＶ２．２）。
【００７０】
万一、ＥＴＷＳプライマリ・メッセージ用ＣＢＳ  ＳＤＵメッセージの受信に失敗していれば、携帯端末１２は、ＥＴＷＳ受信中（Ｘ２．２）の動作として、ＥＴＷＳプライマリ・メッセージ用ＣＢＳ  ＳＤＵメッセージの再取得を試み続ける。そのため、携帯端末１２はＶ２．１に戻る（ステップＶ２．１およびＶ２．２のＮＯ）。
【００７１】
図５Ｂに進み、携帯端末１２は、最新のＥＴＷＳプライマリ・メッセージ用ＣＢＳ  ＳＤＵメッセージのＣＢＣＨ周期と、既存のＣＢＳバッファメモリ内のＥＴＷＳプライマリ・メッセージ用ＣＢＳ  ＳＤＵメッセージのＣＢＣＨ周期が等しいか否かを確認する。携帯端末１２は、それらが等しければ次のステップＶ２．４へ移行し、等しくなければ後述するステップＶ２．７へ移行する（ステップＶ２．３）。
【００７２】
携帯端末１２は、最新のＥＴＷＳプライマリ・メッセージ用ＣＢＳ  ＳＤＵメッセージと関連する情報をＣＢＳバッファメモリ内に保持して次のステップＶ２．５へ移行する（ステップＶ２．４）。
【００７３】
続いて、携帯端末１２は、ＣＢＳバッファメモリ内のＥＴＷＳプライマリ・メッセージ用ＣＢＳ  ＳＤＵメッセージからＥＴＷＳプライマリ・メッセージ用ＣＢＳ  ＰＤＵメッセージを再構成することが可能であるか否か判定する（ステップＶ２．５）。
【００７４】
ステップＶ２．５の詳細な処理として、携帯端末１２は、まず、ＣＢＳバッファメモリ内のＥＴＷＳプライマリ・メッセージ用ＣＢＳ  ＳＤＵメッセージの合計数が３つであるか否かを確認する。合計数が３つでなければ、携帯端末１２はステップＶ２．１へ戻る。
【００７５】
合計数が３つになっていれば、携帯端末１２は、更に、ＣＢＳバッファメモリ内の３つのＥＴＷＳプライマリ・メッセージ用ＣＢＳ  ＳＤＵメッセージにＳ４フォースブロックが含まれていれば、Ｓ４フォースブロックの情報が同じ２桁の１６進数でパディングされているか確認する。同じ２桁の１６進数でパディングされていれば、携帯端末１２はステップＶ２．１へ戻る。同じ２桁の１６進数でパディングされていなければ、携帯端末１２は、ＣＢＳバッファメモリ内のＥＴＷＳプライマリ・メッセージ用ＣＢＳ  ＳＤＵメッセージからＥＴＷＳプライマリ・メッセージ用ＣＢＳ  ＰＤＵメッセージを再構成することが可能か否かを確認する。再構成が可能でなければ、携帯端末１２はステップＶ２．１へ戻る。再構成が可能であれば、携帯端末１２は次のステップＶ２．６へ進む。
【００７６】
３つのＥＴＷＳプライマリ・メッセージ用ＣＢＳ  ＳＤＵメッセージがＳ１、Ｓ２、およびＳ３であれば、携帯端末１２は、既存の方法でＳ１、Ｓ２、およびＳ３を結合してＥＴＷＳプライマリ・メッセージ用ＣＢＳ  ＰＤＵメッセージを再構成する。
【００７７】
また、３つのＥＴＷＳプライマリ・メッセージ用ＣＢＳ  ＳＤＵメッセージが、Ｓ１、Ｓ２、Ｓ３のうちの２つとＳ４の１．４パリティとであれば、携帯端末１２は、それらを用いて、Ｓ１、Ｓ２、Ｓ３のうち不足しているものを復元し、Ｓ１、Ｓ２、Ｓ３を結合してＥＴＷＳプライマリ・メッセージ用ＣＢＳ  ＰＤＵメッセージを再構成する（ステップＶ２．６）。
【００７８】
携帯端末１２は、ＥＴＷＳプライマリ・メッセージ用ＣＢＳ  ＰＤＵメッセージの再構成が完了した後に、ＥＴＷＳプライマリ・メッセージの受信を停止し、ＣＢＳ状態（Ｘ１．０）へ遷移する。
【００７９】
また、ステップＶ２．３にて、最新のＥＴＷＳプライマリ・メッセージ用ＣＢＳ  ＳＤＵメッセージのＣＢＣＨ周期と、既存のＣＢＳバッファメモリ内のＥＴＷＳプライマリ・メッセージ用ＣＢＳ  ＳＤＵメッセージのＣＢＣＨ周期が等しくなければ、携帯端末１２は、ＣＢＳバッファメモリを初期化し、最新にＣＢＳ  ＳＤＵメッセージに関する情報をＣＢＳバッファメモリに格納する（ステップＶ２．７）。続いて、携帯端末１２はステップＶ２．１へ戻る。
【００８０】
図６の説明に戻り、携帯端末１２は、ＥＴＷＳ受信中（Ｘ２．２）において、網側からＥＴＷＳプライマリ・メッセージ受信の中断要求を受信した場合、ユーザによるＣＢＳ受信機能の停止要求を受けた場合、ＥＴＷＳプライマリ・メッセージ用ＣＢＳ内部タイマが４秒を経過した場合、あるいは、ＥＴＷＳプライマリ・メッセージ受信に成功した場合、ＣＢＳ状態（Ｘ１．０）に遷移する。
【００８１】
また、携帯端末１２は、ＥＴＷＳ受信開始待ち（Ｘ２．１）において、網側からＥＴＷＳプライマリ・メッセージ受信の中断要求を受信した場合、あるいは、ユーザによるＣＢＳ受信機能の停止要求を受けた場合、ＣＢＳ状態（Ｘ１．０）に遷移する。
【００８２】
次ぎに、基地局１１の動作について説明する。図７は基地局１１の緊急災害メッセージ送信時の動作を示すフローチャートである。図８は基地局１１の状態遷移図である。
【００８３】
図８で示されるように、基地局１１のとる状態は、ＣＢＳ状態（Ｙ１．０）とＥＴＷＳ状態（Ｙ２．０）の２つのステートに大別される。ＣＢＳ状態（Ｙ１．０）は３ＧＰＰの状態に準拠している。ＣＢＳ状態（Ｙ１．０）には、ＣＢＳ停止中（Ｙ１．１）とＣＢＳ送信中（Ｙ１．２）がある。ＣＢＳ停止中（Ｙ１．１）からＣＢＳの起動によってＣＢＳ送信中（Ｙ１．２）に遷移する。また、ＣＢＳ送信中（Ｙ１．２）からＣＢＳの終了によってＣＢＳ停止中（Ｙ１．１）に遷移する。
【００８４】
ＥＴＷＳ状態（Ｙ２．０）にはＥＴＷＳ送信開始待ち（Ｙ２．１）とＥＴＷＳ送信中（Ｙ２．２）がある。
【００８５】
基地局１１が携帯端末１２へ、３ＧＰＰの規定どおりにページングタイプ２を用いて、ＥＴＷＳプライマリ・メッセージ通知のページング送信を実行する。この通知を送信した後、基地局１１は、直ちに、そのときのＣＢＳの報知を中断し、ＥＴＷＳ送信開始待ち（Ｙ２．１）へ遷移し、ＥＴＷＳプライマリ・メッセージ送信開始が可能になるのを待つ。ＥＴＷＳプライマリ・メッセージ送信開始が可能になれば、基地局１１は、ＥＴＷＳ送信中（Ｙ２．２）へ遷移し、ＥＴＷＳプライマリ・メッセージ送信を４秒間継続する。
【００８６】
図７を参照すると、基地局１１は最初にＣＢＳ状態（Ｙ１．０）へ遷移する。
【００８７】
基地局１１は、ＥＴＷＳプライマリ・メッセージ送信開始の契機になるＥＴＷＳプライマリ・メッセージ通知のページングを送信するまで、ＣＢＳ状態（Ｙ１．０）に留まる。そして、基地局１１は、ＥＴＷＳプライマリ・メッセージ通知のページング送信をしたかを確認する（ステップＷ１．１）。ＥＴＷＳプライマリ・メッセージ通知のページング送信を完了してなければ、基地局１１は継続してＣＢＳ状態（Ｙ１．０）に留まり、ランダムに、あるいは、定期的にこの確認を繰り返す。ＥＴＷＳプライマリ・メッセージ通知のページング送信を完了すれば、ＢＴＳ１基地局１１は次のステップＷ１．２へ遷移する。
【００８８】
ＥＴＷＳプライマリ・メッセージ通知のページングを送信し、ＣＢＳ状態（Ｙ１．０）となった基地局１１は、更にＥＴＷＳ送信開始待ち（Ｙ２．１）へ遷移する。
【００８９】
ＥＴＷＳプライマリ・メッセージ送信開始が可能になれば、基地局１１は、ＥＴＷＳ送信開始待ち（Ｙ２．１）からＥＴＷＳ送信中（Ｙ２．２）へ遷移し、以下の処理を実行する（ステップＷ１．２）。
−  基地局１１は、（もしあれば）スケジュールメッセージ送信を保留する。
−  基地局１１は、（もしあれば）予定していたＣＢＳ  ＳＤＵメッセージの送信を保留する。
−  基地局１１のＣＢＳは、ＥＴＷＳプライマリ・メッセージ用ＣＢＳ内部タイマを４秒にセットして稼動する。
−  基地局１１は、ＥＴＷＳプライマリ・メッセージ送信用のＣＢＣＨ上でＥＴＷＳプライマリ・メッセージをＳ１から順に送信する。
−  Ｓ１、Ｓ２、Ｓ３の１．４パリティを算出し、ＮＵＬＬメッセージの代わりに、その１．４パリティ情報をＳ４に含めて送信する。
【００９０】
図７におけるステップＷ１．２の補足として、ＥＴＷＳ送信中（Ｙ２．２）の基地局１１は、メッセージ長が５６オクテッドのＥＴＷＳプライマリ・メッセージを、最大長が２２オクテッドのＣＢＳ  ＳＤＵメッセージに３分割し、１から２２オクテッドまでの情報をＳ１で、２３から４４オクテッドまでの情報をＳ２で、４５から５７オクテッドまでの情報をＳ３で、それぞれ伝送する。
【００９１】
また、基地局１１は、Ｓ３の５８から６６オクテッドの情報については、空要素を示す０で埋め、Ｓ３のＣＢＳ  ＳＤＵメッセージヘッダにあるＬＢをセットして送信する。
【００９２】
基地局１１は、Ｓ４のＣＢＳ  ＳＤＵメッセージのＣＢＳ  ＳＤＵメッセージヘッダのシリアル番号にはＮＵＬＬメッセージを示す“１１１１”を付与し、Ｓ１〜Ｓ３を使って算出した１．４パリティをＳ４のＣＢＳ  ＳＤＵメッセージに含めて送信する。
【００９３】
ＥＴＷＳ送信中（Ｙ２．２）において、基地局１１は、ＥＴＷＳプライマリ・メッセージ通知のページングを送信してから、ＥＴＷＳプライマリ・メッセージ用ＣＢＳ内部タイマが４秒を経過した場合、あるいはＥＴＷＳプライマリ・メッセージの送信を中断する要求が発生した場合、ＣＢＳ状態（Ｙ１．０）に遷移する（ステップＷ１．３）。
【００９４】
ＥＴＷＳ送信開始待ち（Ｙ２．１）の基地局１１においてＥＴＷＳプライマリ・メッセージ送信中断の要求が発生した場合もステップＷ１．３の動作を実行する。
【００９５】
その後、基地局１１はＣＢＳ状態（Ｙ１．０）へ遷移する。
【００９６】
図９は、本発明の実施形態と既存方式の比較結果を説明するための図である。受信成功例と受信失敗例における比較について説明する。図９中では、黒丸はＣＢＳ  ＳＤＵメッッセージの受信が成功したことを示し、破線の円はＣＢＳ  ＳＤＵメッセージの受信が失敗したことを示す。
【００９７】
既存方式では、携帯端末１２は、ＥＴＷＳプライマリ・メッセージ受信時、Ｓ１ファーストブロック、Ｓ２セカンドブロック、およびＳ３サードブロックを受信してから、携帯端末１２内のＣＢＳモジュールにおいて、ＣＢＳ  ＳＤＵメッセージを結合して１ページのＣＢＳ  ＰＤＵメッセージを再構成する。図９の事例Ｊ３−１がこれに該当する。
【００９８】
既存方式では、これ以外の場合にはＣＢＳ  ＰＤＵメッセージを再構成することができない（事例Ｊ３−２）。
【００９９】
それに対して、新規方式の携帯端末１２は、同じ周期のＣＢＣＨのＳ３のブロックヘッダにＬＢがセットされていることを検出しても、Ｓ４フォースブロックを受信する。携帯端末１２は、ＥＴＷＳプライマリ・メッセージ受信時、Ｓ１ファーストブロック、Ｓ２セカンドブロック、Ｓ３サードブロック、Ｓ４フォースブロックのうち少なくとも３つを正常に受信すれば、ＣＢＳ  ＰＤＵメッセージを再構成し、表示することができる（事例Ｊ３−３、Ｊ３−４）。それ以外の場合は、新規の携帯端末１２でもＣＢＳ  ＰＤＵメッセージを再構成することはできない（事例Ｊ３−５）。
【０１００】
続いて、下位互換性について説明する。ここでいう下位互換性とは、既存方式のみに対応した携帯端末１２が、新規方式を適用した基地局１１からの緊急災害メッセージを受信できること、また新規方式に対応した携帯端末１２が、既存方式を適用した基地局１１からの緊急災害メッセージを受信できることである。以下の２ケースを検討する。
【０１０１】
ケース１：新規方式の基地局１１から送信されたＣＢＳ／ＥＴＷＳプライマリ・メッセージを既存方式の携帯端末１２が受信した場合
ケース２：既存方式の基地局１１から送信されたＣＢＳ／ＥＴＷＳメッセージを新規方式の携帯端末１２が受信した場合
ケース１の場合、新規方式の基地局１１がＳ４フォースブロックにＮＵＬＬメッセージの代わりに１．４パリティを含めて送信するが、既存方式の携帯端末１２はＳ３サードブロックにＬＢがセットされていることを検出し、Ｓ４フォースブロックを受信しない。そして、既存方式の携帯端末１２は、Ｓ１〜Ｓ３によってＣＢＳ／ＥＴＷＳプライマリ・メッセージを再構成することができる。このように下位互換性は確保される。
【０１０２】
ケース２の場合、新規方式の携帯端末１２は、Ｓ３サードブロックにＬＢがセットされていることを検出してもＳ４フォースブロックを受信し、Ｓ４フォースブロックが１．４パリティを含んでいるのかＮＵＬＬ（特定の１６進数でパディングされている）を含んで切るのかを判断する。既存方式の基地局１１から送信されたＳ４フォースブロックはＮＵＬＬでパディングされているが、新規方式の携帯端末１２は、その場合には、Ｓ４フォースブロックを廃棄し、Ｓ１〜Ｓ３によってＣＢＳ／ＥＴＷＳプライマリ・メッセージを再構成する。やはり、このケースでも下位互換性が確保される。
【０１０３】
以上、本発明の実施形態について説明したが、上記実施形態に対して各種の変形を行うことができる。以下、いくつかの変形例を示す。
【０１０４】
（第１の変形例）
上記実施形態では、Ｓ４フォースブロックのＣＢＳ  ＳＤＵメッセージのヘッダのシリアル番号として、３ＧＰＰ  ＴＳ４４．０１２の表１に規定された標準的な番号を用いることを意図したものであったが、本発明はこれに限定されるものではない。
【０１０５】
第１の変形例は、Ｓ４フォースブロックのＣＢＳ  ＳＤＵメッセージのヘッダのシリアル番号として新規の番号を割り当てることにしている。Ｓ４フォースブロックのＣＢＳ  ＳＤＵメッセージヘッダのシリアル番号を０１１１あるいは他の新たな番号とする。  これにより携帯端末１２は、ＥＴＷＳプライマリ・メッセージのヘッダのシリアル番号を確認するのみで、新規方式の基地局１１がＳ４のＣＢＳ  ＳＤＵメッセージを送信しているのか否かを判断することができる。第１の変形例を適用しない場合には、携帯端末１２は、ＥＴＷＳプライマリ・メッセージのヘッダのシリアル番号を確認した上で、更にＥＴＷＳプライマリ・メッセージの内容を確認する必要がある。
【０１０６】
（第２の変形例）
ＢＴＳおよびＢＳＣを含む基地局１１が、ＥＴＷＳプライマリ・メッセージの報知を開始するとき、報知中の他のＣＢＳ報知情報の報知を一時保留し、ＥＴＷＳプライマリ・メッセージを優先的に報知し、その後、保留していたＣＢＳ報知情報の報知を再開することにしてもよい。ＥＴＷＳプライマリ・メッセージの報知期間は４秒間なので４秒程度の保留が想定される。第２の変形例を適用することで、より確実に報知期間内にＥＴＷＳプライマリ・メッセージを報知できるようになる。
【０１０７】
第２の変形例の方法は、ＧＥＲＡＮに限らず、３ＧＰＰのＥ−ＵＴＲＡＮやＵＴＲＡＮにも適応可能であり、システムが同様の構造を持つ場合にはＣＤＭＡ２０００やＷｉＭＡＸなどの他の通信方式にも発展可能である。
【０１０８】
（第３の変形例）
第３の変形例では、基地局１１は、ＥＴＷＳプライマリ・メッセージを報知するとき、全く同じＥＴＷＳプライマリ・メッセージを４秒間報知し続けるものとする。このように拡張することにより、携帯端末１２が周期ｎにおいてＳ３とＳ４を受信し、周期ｎ＋１（周期ｎの次の周期）においてＳ１とＳ２を受信して、異なる周期をまたがった４つのＣＢＳ  ＳＤＵメッセージから１つのＣＢＳ  ＰＤＵメッセージを再構成することができる。
【０１０９】
また、その場合、周期ｎのＳ４の１．４パリティが、周期ｎのＳ３と周期ｎ＋１のＳ１と周期ｎ＋１のＳ２のＣＢＳ  ＳＤＵメッセージから算出したパリティと一致するか否かで、復元されたＥＴＷＳプライマリ・メッセージが有効であるか否かを判断することにしても良い。
【０１１０】
（第４の変形例）
第４の変形例では、複数ページにわたるＣＢＳメッセージにおいて、ＣＢＳ  ＰＤＵメッセージの単位でチェック差分を取得し、また１．４パリティを算出し、その処理によってデータの復元を試みるものである。
【０１１１】
ここで複数ページに渡るＣＢＳメッセージとは、２つ以上１６個以下のＣＢＳ  ＰＤＵメッセージを結合することにより作成されるＣＢＳメッセージを示している。
【０１１２】
上述した本発明の実施形態ではＣＢＳ  ＳＤＵメッセージ単位で判断および処理している。しかし、本変化形ではチェックサムの取得およびパリティの算出を実行する対象がＣＢＳ  ＰＤＵメッセージ単位としている。例えば、合計４ページのＣＢＳ  ＰＤＵメッセージ群によって１つのＣＢＳメッセージが構成されている場合、１ページ目、２ページ目、３ページ目のそれぞれを示す１番目、２番目、３番目のＣＢＳ  ＰＤＵメッセージと、１ページ目、２ページ目、３ページ目、４ページ目から算出したパリティ部を含む５番目のＣＢＳ  ＰＤＵメッセージがあれば、欠損した４ページ目に相当する４番目のＣＢＳ  ＰＤＵメッセージを復元することができる。この方法は、システムが同様の構造を持つ場合にはＣＤＭＡ２０００やＷｉＭＡＸなどの他の通信方式にも応用可能である。
【０１１３】
以上、本発明の実施形態および変形例について述べてきたが、本発明は、これらだけに限定されるものではなく、本発明の技術思想の範囲内において、これらを組み合わせて使用したり、一部の構成を変更したりしてもよい。
【符号の説明】
【０１１４】
１１  基地局
１２  携帯端末
２１  分割部
２２  パリティ算出部
２３  送出部
３１  受信部
３２  復元部
３３  提示部
【図１】
2012060377.tif 000003
【図２】
2012060377.tif 000004
【図３】
2012060377.tif 000005
【図４】
2012060377.tif 000006
【図５Ａ】
2012060377.tif 000007
【図５Ｂ】
2012060377.tif 000008
【図６】
2012060377.tif 000009
【図７】
2012060377.tif 000010
【図８】
2012060377.tif 000011
【図９】
2012060377.tif 000012
【図１０】
2012060377.tif 000013